(57)【要約】      （修正有）【課題】使用時の液体吐出性に優れ、筆跡途切れ等を生じるおそれがないと共に、収容する液体や、放置時の向き等に影響を受けることなく、非使用時における液体の漏出を生じることのないローラー式塗布具を提供する。【解決手段】下方開口部２１に液体誘導部材３を備えた液体収容部２と、該液体収容部２を上方に配置し、上側保持部と下側保持部とを有する本体４と、該本体４内に保持される吸液部材５と、該本体４内に保持される支持軸６２を有するローラー６とからなるローラー式塗布具１。前記吸液部材５が上下動可能に前記上側保持部に保持されると共に、前記ローラー６が上下動及び回転可能に前記下側保持部に支持軸６２を保持される。塗布時には、ローラー６が上方へ移動して吸液部材５の下端に接触し、該ローラー６と接触状態の吸液部材５が上方へ移動して液体誘導部材３の下端と接触する。【選択図】図１
0003152081.tif 000002
【実用新案登録請求の範囲】
【請求項１】
下方開口部に液体誘導部材を備えた液体収容部と、該液体収容部を上方に配置し、上側保持部と下側保持部とを有する本体と、該本体内に保持される吸液部材と、該本体内に保持される支持軸を有するローラーとからなるローラー式塗布具であって、前記吸液部材が上下動可能に前記上側保持部に保持されると共に、前記ローラーが上下動及び回転可能に前記下側保持部に支持軸を保持されており、塗布時には、前記ローラーが上方へ移動して吸液部材の下端に接触し、該ローラーと接触状態の吸液部材が上方へ移動して液体誘導部材の下端と接触すると共に、非塗布時には、前記ローラーが下方へ移動して吸液部材の下端から離間し、吸液部材が下方へ移動して液体誘導部材の下端から離間することを特徴とするローラー式塗布具。
【請求項２】
前記ローラーが弾性部材により縦置き状態で下方に押圧されることを特徴とする請求項１記載のローラー式塗布具。
【考案の詳細な説明】
【技術分野】
【０００１】
本考案は、ローラー式塗布具に関する。更には、収容する液体をローラーに供給して塗布するローラー式塗布具に関する。
【背景技術】
【０００２】
従来、インキ等の液体を直接内蔵した軸筒の先端開口部に、多孔質部材を介して転写用のローラーを備えた塗布具が開示されている（例えば特許文献１参照）。
前記塗布具は、使用時においては、被塗布物にローラーを当接し回転させることにより、軸筒内部のインキがローラー印面を介して筆跡途切れを生じることなく転写できるものであるが、非使用時においても軸筒内部のインキが多孔質部材及びローラーに供給され続けるため、インキの粘度が低い場合にインキの漏出が生じることがあった。
【０００３】
また、前記問題を解消するために、非使用時にはローラーがインキ供給部分（吸液部材）から離間することでインキ漏れが抑制されるローラー式塗布具が開示されている（例えば特許文献２参照）。
【特許文献１】実開昭６３−８９９４号公報
【特許文献２】特開２００５−７３４号公報
【０００４】
前記特許文献２記載のローラー式塗布具は、非使用時にはローラーへのインキ供給が停止されるため横置き状態ではインキ漏れを生じないものであるが、水等の低粘度液体を収容し、縦置き状態（即ち、ローラー上方に液体収容部が位置する状態）で長時間放置した場合、前記吸液部材に供給される水を保持しきれなくなり、水漏れを生じる虞がある。
【考案の開示】
【考案が解決しようとする課題】
【０００５】
本考案は、前記問題を解決するものであって、使用時の液体吐出性に優れ、筆跡途切れ等を生じるおそれがないと共に、収容する液体や、放置時の向き等に影響を受けることなく、非使用時における液体の漏出を生じることのないローラー式塗布具を提供するものである。
【課題を解決するための手段】
【０００６】
本考案は、下方開口部に液体誘導部材を備えた液体収容部と、該液体収容部を上方に配置し、上側保持部と下側保持部とを有する本体と、該本体内に保持される吸液部材と、該本体内に保持される支持軸を有するローラーとからなるローラー式塗布具であって、前記吸液部材が上下動可能に前記上側保持部に保持されると共に、前記ローラーが上下動及び回転可能に前記下側保持部に支持軸を保持されており、塗布時には、前記ローラーが上方へ移動して吸液部材の下端に接触し、該ローラーと接触状態の吸液部材が上方へ移動して液体誘導部材の下端と接触すると共に、非塗布時には、前記ローラーが下方へ移動して吸液部材の下端から離間し、吸液部材が下方へ移動して液体誘導部材の下端から離間することを要件とする。
更には、前記ローラーが弾性部材により縦置き状態で下方に押圧されることを要件とする。
尚、本考案において、「上」とは液体収容部側を指し、「下」とはローラー側を指す。
【考案の効果】
【０００７】
本考案の請求項１により、使用時には、ローラー印面への一定量の液体供給が継続的になされ、ローラーを回転塗布した際に筆跡途切れ等を生じることなく印像を形成することができると共に、非使用時には、液体収容部から吸液部材への液体供給及び吸液部材からローラー印面への液体供給が停止し、誘導部材下端が液シールされるので、液体の漏出をより有効に防止できる。
【０００８】
請求項２により、塗布具の自重によりローラーが上昇して液体供給されることがなくなるので、縦置き状態であってもより確実に液体の漏出を防止できる。
【考案を実施するための最良の形態】
【０００９】
本考案のローラー式塗布具は、ローラー側を下向きで使用するものであり、非使用時には、ローラー、吸液部材、液体誘導部材が離間した状態で維持されており、使用時には、塗布面に当接されるローラーが上昇して吸液部材と接触し、更に前記二部材が上昇して吸液部材と液体誘導部材とが接触することにより、液体収容部に収容する液体が誘導部材を介して吸液部材に供給され、該吸液部材からローラー（印面）に供給されるものである。
【００１０】
前記ローラー式塗布具は、少なくとも下方開口部に液体誘導部材を備えた液体収容部と、該液体収容部を上方に配置する本体と、該本体内に保持される吸液部材と、該本体内に保持される支持軸を有するローラーとから構成される。
【００１１】
前記液体収容部は、水やインキ等の液体を収容するタンクであり、少なくとも下端の一部が液体流動用に開口している。前記開口部分には、収容する液体を下方（吸液部材）に誘導するための液体誘導部材が配設される。前記液体誘導部材には、繊維収束体、フェルト、スライバー状樹脂等の毛管力や吸液力を有するものが用いられる。
前記液体誘導部材を着脱自在とし、下端の開口部分を液体の流入、流出に用いる他、前記下端開口部分を液体流出用とし、液体補充用（流入用）の孔部を別に設けることもできる。その際、上方開口部には栓体を設けて密栓することが好ましい。
液体収容部の形状としては、軸方向に長いものや径方向に長いもの等、どのような形状であってもよい。
【００１２】
前記本体は、液体収容部を上方に配置すると共に、吸液部材及びローラーを内部に配置するものである。その際、少なくともローラーの下端部が塗布面と接触できるように突出した状態で配置される。
本体内には、吸液部材を上下動可能に保持する上側保持部と、ローラーを上下動及び回転可能に保持する下側保持部とを有しており、該下側保持部や該近傍には、縦置き状態でローラーを下方に押圧するための弾性部材等を設けることができる。
【００１３】
前記吸液部材は、液体収容部内に収容される液体を保持し、ローラーに供給するためのものであり、上方移動時に前記液体誘導部材の下端と接触するように設けられ、且つ下方が塗布具の使用時にローラーの印面と接触するように設けられる。前記吸液部材としては、液体を内部に保持することができる多孔質部材が用いられ、具体的には、フェルト、不織布、編布等の繊維体、スポンジ等の発泡体が挙げられる。尚、前記吸液部材には、液体誘導部材よりも毛管力の強いものが用いられる。
また、前記吸液部材は本体内に直接収容される他、硬質樹脂部材等に取り付けて収容することができる。これにより強度を増すことができ、長期間の使用に対して変形し難いものとなる。
【００１４】
前記ローラーは、支持軸を備え、外周面を印面とする円柱状物であり、樹脂成形物やゴム、エラストマー、金属等から形成される。特に、樹脂成形物や金属等で形成される場合且つ収容する液体として水等の低粘度のものを用いる場合、外周面の印面に布帛やフェルト等の吸水性部材で構成される像を設けて塗布性を向上させることが好ましい。
【００１５】
前記ローラー式塗布具は、使用時に被塗布物にローラーの印面を押し当てた際、前記ローラーが上方に移動し、ローラーの印面と吸液部材の下端部が接触状態となり、更にこの状態を維持したまま上方に移動し、吸液部材の上端部が液体誘導部材の下端部と接触することで、上方の液体収容部の液体が液体誘導部材により誘導され吸液部材に供給される。更に、該吸液部材を介してローラーの印面に供給される。この状態によってローラー印面への液体供給が継続的に行われるため、ローラーを回転塗布してもカスレや線飛び等の筆跡途切れを生じることなく塗布できる。
また、非使用時においては、被塗布物からローラーの印面を離すことで、前記ローラーが自重又は弾性部材による押圧力により下方に移動すると共に、吸液部材が自重より下方に移動するので、吸液部材の上端部が液体誘導部材の下端部と非接触状態となり、該液体誘導部材の下端部が液シールされると共に、ローラーの印面が吸液部材の下端部と非接触状態となり、液体収容部からローラー印面への液体供給が停止する。そのため、縦置き状態（ローラー下向き状態）で長時間放置した場合であっても、液体の漏出を抑制できる。特に、液体収容部内に収容される液体の液面から液体誘導部材の下端部までの距離（液体誘導部材が塗布面に対して垂直状態である時の最短距離）が長い場合に、前記構成による液漏れ抑制効果が明確に発現される。
【実施例】
【００１６】
本考案の実施例を図面に従って説明する。
図１は本考案のローラー式塗布具の使用時（塗布時）における縦断面図であり、図２は非使用時における縦断面図である。
【００１７】
ローラー式塗布具１は、下方に液体導出孔２１を備えた中空状の液体収容部２（液体８として水を収容する）と、該液体収容部２を上方に着脱可能に配置する本体４と、該本体４内に上下動可能に保持される吸液部材５と、該本体４内に上下動及び回転可能に保持されるローラー６とから構成されている。
【００１８】
前記液体収容部２は、上下二箇所に孔部を有する硬質樹脂製の容器であり、本体４上側の開口部分に着脱可能に取り付けられている。前記孔部のうち、下側（底面）に設けられた孔部は液体導出孔２１として作用するものであり、該孔部には液体８を誘導するための液体誘導部材３が嵌着されている。また、液体誘導部材３近傍には、空気交代用のエア孔が設けられている。
前記液体誘導部材３は繊維束からなる下端凸状の棒状物であり、毛管力によって液体収容部２内の液体８を下方に安定して誘導できると共に、吸液部材５と非接触時には、下端部が液シールされ、液体の垂れ下がりを抑制できるものである。
また、液体収容部２の上側に設けられた孔部は、液体を注入するための孔として作用するものであり、蓋体２２を圧入することで封鎖されており、蓋体２２を開放して容易に液体を補充できると共に、逆向きにした際に収容する液体がこぼれないようになっている。
【００１９】
前記本体４は、液体収容部２を保持するために上側を開口すると共に、ローラー６の下方を突出するために下側を開口する樹脂成形物であり、文具形態の他、乗り物や動物等、様々な形象物を模した玩具形態とすることができる。その際、必要に応じて脚部や車輪等を設けることもできる。
前記本体４の側壁内部には、液体収容部２の下方で吸液部材５を上下動可能に係合保持する上側保持部と、吸液部材５の下方でローラー６を上下動及び回転可能に係合保持する下側保持部とが、いずれも上下方向に延びる溝部として射出成形により形成されている。
更に、前記下側保持部近傍には、ローラー６を下方に押圧するための弾性部材（金属バネ）７が、支持軸６２と当接状態で設けられている。前記弾性部材７は塗布具の自重（液体収容時）では持ち上げられず、下方向に若干押圧することで容易に持ち上げられる程度のバネ力を有するものであるため、縦置き状態ではローラー６が上昇せず、インキ収容部２からの液体誘導を生じることなく静置できる。
【００２０】
前記ローラー６は、本体４の下側保持部に係合保持される円柱形状の支持軸６２が一体に成形され、外周面に星型孔部（具体的に３個）を有する中空状樹脂成形体であり、内部に不織布を収容し、前記星型孔部から不織布を突出させることで印面６１が形成されている。前記印面６１は使用により外周面から剥がれることがなく、液体吸蔵性能が高いものである。
【００２１】
前記吸液部材５は薄板状フェルトからなり、上端部に繊維束からなる液体誘導部材３が接触（嵌入）する上端部を凹状に形成している。凹状とすることで、塗布時に液体誘導部材３の下端を覆うように接触できるので、吸液部材５への液体供給が確実に行われる。
前記吸液部材５の外周面（上下面及びその近傍を除く）には、吸液部材５の上下両端部分を突出するように硬質樹脂部材からなる取付部５１が設けられており、使用による吸液部材５の変形を抑制している。前記取付部５１には、本体４の上側保持部に係合保持されるための凸部５２が形成されており、上側保持部内で回転することなく、自重により下降できるように断面長方形状に形成されている。
【００２２】
前記ローラー式塗布具１は、ローラー６側下向き状態において、液体収容部２内の液体８が液体導出孔２１に設けられた液体誘導部材３の下端部まで誘導され、液シールされた状態を維持する。
使用時には、被塗布物９（例えば、低屈折率顔料をバインダー樹脂に分散状態に固着させた多孔質層を基材表面に設け、吸液状態と非吸液状態で透明性を異にする水変色性シート）にローラー６の印面６１を押し当てることにより、ローラー６が上方に移動し、印面６１が吸液部材５の下端部に接触する。更に、該接触状態でローラー６及び吸液部材５が上方に移動し、吸液部材５の上端部が液体誘導部材３の下端部と接触することで、液体８が液体収容部２内から液体誘導部材３を通じて吸液部材５にまで供給され、吸液部材５に供給された液体８が当接する印面６１にまで供給されるので、ローラー６の回転により星型の印像を水変色性シート表面に形成されると同時に、水変色性シートの多孔質層が透明化して基材表面の色が印像として現出する。また、ローラー回転時には、供給された水量に相当する空気が空気孔から液体収容部２内に取り込まれることで、液体収容部２内から印面６１へ継続的に液体８が供給され続けるので、筆跡途切れ等を生じることなく印像を形成できる。
【００２３】
また、非使用時には、被塗布物９（水変色性シート）から印面６１が上方に離れることで、弾性部材７に押圧されるローラー６が下方に移動すると共に、自重により吸液部材５が下方に移動する。そのため、印面６１が吸液部材５下端部から離れると共に、吸液部材５上端部が液体誘導部材３の下端部から離れるので、ローラー６（印面６１）への液体８の供給が停止する。
この時、吸液部材５への液体供給が停止しており、吸液部材５で保持できる液体量を超えて放置されることがなくなるので、縦置き状態（ローラー６側下向き状態）で長時間放置しても液体８の漏出を生じることがなくなる。
【図面の簡単な説明】
【００２４】
【図１】本考案のローラー式塗布具の使用時における一実施例を示す要部縦断面図である。
【図２】図１のローラー式塗布具の非使用時における要部縦断面図である。
【符号の説明】
【００２５】
１  ローラー式塗布具
２  液体収容部
２１  液体導出孔
３  液体誘導部材
４  本体
５  吸液部材
５１  取付部
５２  凸部
６  ローラー
６１  印面
６２  支持軸
７  弾性部材
８  液体
９  被塗布物
【図１】
0003152081.tif 000003
【図２】
0003152081.tif 000004